(57)【要約】【課題】複数個のメモリーカードを同時に挿入するのを防止する一種のメモリーカードコネクターを提供する。【解決手段】ケーシング、第１のメモリーカードスロット４０、第２のメモリーカードスロット２０を有し、前記第１のメモリーカードスロット４０と前記第２のメモリーカードスロット４０とはそれぞれ第１のメモリーカードと第２のメモリーカードとを挿入可能に形成される。前記第１のメモリーカードスロット４０と前記第２のメモリーカードスロット２０は、メモリーカードコネクターの隣接する側面に設けられ、前記第１のメモリーカードが完全に前記第１のメモリーカードスロット４０に挿入されたとき、前記第１のメモリーカードの前端と第２のメモリーカードスロットのうち前記第１のメモリーカードの前端から最も遠い端との間の距離は、前記第２のメモリーカード本体の幅よりも小さい。【選択図】図１
0003138064.tif 000002
【実用新案登録請求の範囲】
【請求項１】
ケーシング、第１のメモリーカードスロット、および第２のメモリーカードスロットを有するメモリーカードコネクターであって、
前記第１のメモリーカードスロットおよび前記第２のメモリーカードスロットはそれぞれ第１のメモリーカードおよび第２のメモリーカードを挿入可能に形成され、
前記第１のメモリーカードスロットおよび前記第２のメモリーカードスロットは前記メモリーカードコネクターの隣り合う側面に設けられ、
前記第１のメモリーカードが完全に前記第１のメモリーカードスロットに挿入されたとき、前記第１のメモリーカードの前端と前記第２のメモリーカードスロットのうち前記第１のメモリーカードの前端から最も遠い端との間の距離は、前記第２のメモリーカード本体の幅よりも小さいことを特徴とする一種のメモリーカードコネクター。
【請求項２】
前記第１のメモリーカードが前記第１のメモリーカードスロットに完全に挿入されたとき、前記第１のメモリーカードの前端と前記第２のメモリーカードスロットのうち前記第１のメモリーカードの前端から最も遠い端との間の距離は１６ｍｍであることを特徴とする請求項１記載のメモリーカードコネクター。
【請求項３】
前記第２のメモリーカード本体の幅が２０ｍｍであることを特徴とする請求項１記載のメモリーカードコネクター。
【請求項４】
前記第１のメモリーカードと前記第２のメモリーカードが異なる規格のメモリーカードであることを特徴とする請求項１記載のメモリーカードコネクター。
【請求項５】
前記第１のメモリーカードが、ＣＦカード（登録商標）、ＳＤ、ＭＭＣ、ＭＳ、ＭＳ・Ｄｕｏカードであることを特徴とする請求項４記載のメモリーカードコネクター。
【請求項６】
前記第２のメモリーカードが、ＭＳ・Ｍｉｃｒｏ、Ｔ−Ｆｌａｓｈカード、ＭＭＣ・Ｍｉｃｒｏカード、Ｍｉｎｉ・ＳＤカードであることを特徴とする請求項４記載のメモリーカードコネクター。
【請求項７】
前記メモリーカードコネクターがカードリーダを通じコンピュータに接続されることを特徴とする請求項１記載のメモリーカードコネクター。
【請求項８】
メモリーカードコネクターを有するカードリーダであって、
前記メモリーカードコネクターは第１のメモリーカードスロットおよび第２のメモリーカードスロットを有し、
前記第１のメモリーカードスロットおよび前記第２のメモリーカードスロットは、前記メモリーカードコネクターの隣り合う側面に設けられ、
第１のメモリーカードが前記第１のメモリーカードスロットに完全に挿入されたとき、前記第１のメモリーカードの前端と第２のメモリーカードスロットのうち前記第１のメモリーカードの前端から最も遠い端との間の距離が、前記第２のメモリーカード本体の幅よりも小さいことを特徴とするカードリーダ。
【請求項９】
前記第１のメモリーカードおよび前記第２のメモリーカードは、ＣＦカード、ＭＳ・Ｄｕｏカード、ＭＳ、ＭＳ・Ｍｉｃｒｏ、Ｔ−Ｆｌａｓｈカード、ＭＭＣ・Ｍｉｃｒｏカード、Ｍｉｎｉ・ＳＤカード、ＳＭカード（登録商標）を特徴とする請求項８記載のカードリーダ。
【考案の詳細な説明】
【技術分野】
【０００１】
本考案は、メモリーカード装置に関し、特に、複数個のメモリーカードを同時に挿入するのを防止する一種のメモリーカードコネクターに関する。
【背景技術】
【０００２】
現在、デジタルカメラ、携帯電話などの電子製品には通常メモリーカードがファイルのメモリーに採用され、データの保存あるいは移転に用いられている。したがって、前記の電子製品には一般的にメモリーカードスロットが設けられ、相応のメモリーカードを挿入するのに用いられる。保存されたデータをコンピュータなどデータ処理あるいはメモリー能力の比較的高い設備に移転させる際、接続ケーブルにより電子製品を直接コンピュータに接続する以外に、メモリーカードを取り出し、専用のメモリーカードコネクターあるいはカードリーダに差し込むことによりファイルを読み取ることができる。
【０００３】
現在市場には多くの種類のメモリーカードが出回っていて、ＳＭ（Ｓｍａｒｔ Ｍｅｄｉａ（登録商標））カード、ＣＦ（Ｃｏｍｐａｃｔ Ｆｌａｓｈ（登録商標））カード、ＭＭＣ（Ｍｕｌｔｉ Ｍｅｄｉａ Ｃａｒｄ）カード、ＳＤ（Ｓｅｃｕｒｅ Ｄｉｇｉｔａｌ）カード、メモリースティック、ＸＤ（ＸＤ−Ｐｉｃｔｕｒｅ）カードなどがあり、その性能はさまざまで、体積も異なる。一般的なメモリーカードコネクターは、相応の大きさの一種類のサイズのメモリーカードのみ挿入でき、ユーザーが大きさの異なるメモリーカードを所有している場合、複数のコネクターを購入する必要が生じ、不便である。
【０００４】
中国特許出願第０２２９１２１１．８号において提供される前記の問題を解決した一種のメモリーカードダブルスロットアダプターは、前記アダプターのケーシング前端にはアダプターの挟み端がなく、そのケーシング後端にＵ型スロットが設けられ、前記Ｕ型スロット内部にメモリーカードコネクターがある。前記ケーシングの左あるいは右側辺には開き口があり、前記開き口のケーシング内には第２のメモリーカードコネクターがあり、ＣＦ、ＭＳ、ＳＤ、ＭＭＣ、ＳＭなど多種にわたる規格のメモリーカードを挿入することができる。したがって、多種の規格のメモリーカードを接続可能とすることで、消費者の多様な使用需要を満足させることができる。しかし前記装置の片方のコネクターは、メモリーカードを挿入した後、もう一方のコネクターにメモリーカードを挿入できるものの、この際ハードウェアの衝突が発生し、ユーザーに不便をもたらしていた。
【考案の開示】
【考案が解決しようとする課題】
【０００５】
本考案が解決する技術問題は、一種のメモリーカード装置を提供することにあり、特に複数個のメモリーカードを同時に挿入するのを防止する一種のメモリーカードコネクターを提供することを目的とする。
【課題を解決するための手段】
【０００６】
前記の技術問題を解決するため、本考案は下記の技術を採用している。メモリーカードコネクターであり、ボディ、第１のメモリーカードスロット、第２のメモリーカードスロットを有し、第１のメモリーカードスロットと第２のメモリーカードスロットはそれぞれ第１のメモリーカードと第２のメモリーカードを挿入可能に形成され、前記第１のメモリーカードスロットと第２のメモリーカードスロットはメモリーカードコネクターの隣接する側面に設けられ、前記第１のメモリーカードが完全に前記第１のメモリーカードスロットに挿入されたとき、前記第１のメモリーカードの前端と第２のメモリーカードスロットのうち前記第１のメモリーカードの前端から最も遠い端との間の距離は、前記第２のメモリーカード本体の幅よりも小さい。
本考案の技術は、同時に複数のメモリーカードを挿入することにより発生するハードウェアおよび制御ソフトウェアの衝突を回避するのに有効で、構造が簡単で、実現が容易である。
【考案を実施するための最良の形態】
【０００７】
以下、本考案の実施形態について図面に基づいて説明する。
図１が示すように、本考案の一実施形態によるメモリーカードコネクター１は、ケーシング、およびその上に設けられている第１のメモリーカードスロット４０および第２のメモリーカードスロット２０を含む。本実施形態において、前記第１のメモリーカードスロット４０はメモリーカードコネクター１の左側に設けられ、前記第２のメモリーカードスロット２０はメモリーカードコネクター１の下側に設けられている。
【０００８】
前記第１のメモリーカードスロット４０は一種の規格のメモリーカード４２を挿入するのに使用され、本実施形態においては、ＣＦカード（登録商標）、ＭＳ、ＳＤ、ＭＭＣ、ＭＳ Ｄｕｏ（Ｍｅｍｏｒｙ Ｓｔｉｃｋ Ｄｕｏ）カード（１０ｐｉｎ）といった大小のメモリーカードが挿入される。前記第２のメモリーカードスロット２０は異なる規格のメモリーカード２２を挿入するのに使用され、本実施例においては、ＭＳ Ｍｉｃｒｏ（１１ｐｉｎ）、Ｔ−ＦＬＡＳＨ（８ｐｉｎ）、ＭＭＣ Ｍｉｃｒｏカード（１０ｐｉｎ）、Ｍｉｎｉ ＳＤカード（１１ｐｉｎ）などの大小のメモリーカードが挿入される。
【０００９】
図２Ａから図２Ｃに示すように、以下は本考案のメモリーカードコネクター１がいかに２つのスロットに同時にメモリーカードを挿入させないかを説明している。構造上、第１のメモリーカードスロット４０と第２のメモリーカードスロット２０はメモリーカードコネクター１の隣接する側面に設けられ、前記第１のメモリーカードスロット４０は、メモリーカード４２が完全に挿入されたとき、メモリーカード４２の前端と前記第２のメモリーカードスロット２０のうち前記第１のメモリーカードの前端から最も遠い端との間の距離ａが、メモリーカード２２の本体の幅ｂよりも小さく設定される。本実施形態において、ａは１６ｍｍ、ｂは２０ｍｍとなる。この場合、メモリーカード２２を挿入した後、第１のメモリーカードスロット４０の空間が部分的に占拠され、よりサイズの小さなメモリーカード４２を挿入することはできなくなる。同様に、サイズの小さなメモリーカード４２を挿入後、サイズの大きなメモリーカード２２を挿入することはできない。したがって、同時に二つのメモリーカードを挿入することにより起こりうるハードウェアおよび制御ソフトウェアの衝突を効果的に回避できる。
【００１０】
図３が示すように、本考案のメモリーカードコネクター１がカードリーダ６０に接続されていて、前記の二つのメモリーカードスロットが前記カードリーダ６０に電気的に接続されている。カードリーダ６０がコンピュータ内部に設けられている場合、前記カードリーダ６０はコンピュータ内部の電気回路の一部分とみなすことができる。カードリーダ６０が外に置かれている場合、ＵＳＢ（Ｕｎｉｖｅｒｓａｌ Ｓｅｒｉａｌ Ｂｕｓ）ケーブルあるいはＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）１３９４ケーブルにてカードリーダ６０をコンピュータに接続することができる。
【００１１】
メモリーカードコネクター１とカードリーダ６０もまた一体設計が可能である。図４Ａから図４Ｂに示すように、メモリーカードコネクター１はカードリーダ６０の内部に装着されている。サイズの大きなメモリーカード２２が定位置に挿入されたとき、サイズの小さなメモリーカード４２は定位置に挿入することはできない。したがってカードリーダ６０のＩＣはメモリーカード２２のみが挿入されていて、メモリーカード４２は挿入されていないと判断する。サイズの小さなメモリーカード４２が定位置に挿入された際、サイズの大きなメモリーカード２２は定位置に挿入することはできない。したがってカードリーダ６０のＩＣはメモリーカード４２のみが挿入されていて、メモリーカード２２は挿入されていないと判断する。
本実施形態において、前記第１のメモリーカードスロット４０はメモリーカードコネクター１の左側に設けられ、前記第２のメモリーカードスロット２０はメモリーカードコネクター１の下側に設けられているものについて説明をした。しかし、前記第１のメモリーカードスロットおよび前記第２のメモリーカードスロットは、必要に応じその他の異なる側面に設けられてもよく、両者が隣り合う側面に設けられるものであればよい。
【図面の簡単な説明】
【００１２】
【図１】本考案の一実施形態によるメモリーカードコネクターの斜視図である。
【図２Ａ】本考案の一実施形態によるメモリーカードコネクターが複数のメモリーカードの挿入の防止を示す斜視図である。
【図２Ｂ】本考案の一実施形態によるメモリーカードコネクターが複数のメモリーカードの挿入の防止を示す斜視図である。
【図２Ｃ】本考案の一実施形態によるメモリーカードコネクターが複数のメモリーカードの挿入の防止を示す斜視図である。
【図３】本考案の一実施形態によるメモリーカードコネクターがコンピュータの電気回路にまで接続される構造概略図である。
【図４Ａ】本考案の一実施形態によるメモリーカードコネクターがカードリーダと一体となった上面図である。
【図４Ｂ】本考案の一実施形態によるメモリーカードコネクターとカードリーダとが一体となったものの上面図である。
【符号の説明】
【００１３】
１：メモリーカードコネクター、２０：第２のメモリーカードスロット、２２：サイズの大きなメモリーカード、４０：第１のメモリーカードスロット、４２：サイズの小さなメモリーカード、６０：カードリーダ
【図１】
0003138064.tif 000003
【図２Ａ】
0003138064.tif 000004
【図２Ｂ】
0003138064.tif 000005
【図２Ｃ】
0003138064.tif 000006
【図３】
0003138064.tif 000007
【図４Ａ】
0003138064.tif 000008
【図４Ｂ】
0003138064.tif 000009